(57)【要約】【課題】場所によって経路幅の異なる電流経路を有する場合にも、充分な電流容量が確保されると共に局所的な電流集中が抑制された導電体を提供すること。【解決手段】広幅の電流経路Ｗ１である外方端Ｔ１と狭幅の電流経路Ｗ２である接続端Ｔ２とが接続部１２により接続される。接続部１２の第１の経路端辺のうち角部１３、１４の間にある経路端辺Ｌ１１は、第２の経路端辺Ｌ２に対して所定の傾斜角度を有する。第２の経路端辺Ｌ２との間に形成される電流経路の経路幅は、電流経路Ｗ１と電流経路Ｗ２との間で角部１４から角部１３に向かって直線的に拡幅される。経路端辺Ｌ１１の傾斜角度を調整することにより、角部１４から角部１３に至る経路にも略均等に電流Ｉを流すことができる。流れ局所的な電流集中が発生することはなく、局所的な発熱を抑制することができる。【選択図】図２
2007227472.tif 000002
【特許請求の範囲】
【請求項１】
端部間の電流経路が場所により異なる経路幅を有する導電体であって、
前記電流経路のうち相異なる経路幅の電流経路間を接続する接続部においては、経路幅が連続的に遷移する領域を含むことを特徴とする導電体。
【請求項２】
前記接続部は、経路幅が連続的に遷移する前記領域において、経路端辺が直線状に形成されてなることを特徴とする請求項１に記載の導電体。
【請求項３】
前記端部は互いに経路幅が異なり、
前記接続部は、直線状の前記経路端辺が前記端部間を直結してなることを特徴とする請求項２に記載の導電体。
【請求項４】
前記接続部は、経路端辺の角部が面取りされてなることを特徴とする請求項１に記載の導電体。
【請求項５】
前記端部の一方は回路基板に接続される接続端であり、最狭幅の経路幅を有しており、
前記接続端から前記端部の他方である外方端に向かって、経路幅が拡幅されることを特徴とする請求項１に記載の導電体。
【発明の詳細な説明】
【技術分野】
【０００１】
本発明は、導電体に関するものであり、特に、回路基板に接続され、十分な電流容量を有する電極をなす導電体に関するものである。
【背景技術】
【０００２】
コンデンサや抵抗等の受動素子または／およびダイオードやトランジスタ等の能動素子等が、半田接合等により実装された回路基板と、外部との間で、電力や信号を授受するために、回路基板に導電体としての電極が接続される場合がある。このうち、図５、図６に示す電極１１０、２１０は電力を授受する電極の一例である。電極は、回路基板に半田接合等で接続される。電極の電流容量は、例えば１００Ａ程度の大電流である場合がある。
【０００３】
電極１１０、２１０は、大電流を流すために、電流経路の経路幅が広幅に設けられている外方端Ｔ１に比して、回路基板に半田接合される接続端Ｔ２は経路幅が狭幅に構成されている。高密度実装される回路基板での実装上の面積制約から接合面積が限られるためである。外方端Ｔ１と接続端Ｔ２との間に備えられる接続部１２０、２２０は、電極１１０（図５）では中間位置で階段状に経路幅が拡幅された形状を有する。電極１１０では経路幅の一方が拡幅される。電極２１０（図６）では接続端Ｔ２の経路幅と同じ狭幅で接続端Ｔ２が延長され外方端Ｔ１に連結される。
【０００４】
また、特許文献１や特許文献２によれば、接続導体や接続板を長手方向の辺と交わる線で折り返すことにより端子間の電流方向を屈曲させる場合に、屈曲部の角部の角度を鈍角とする技術が開示されている。
【０００５】
【特許文献１】実開昭５４−２７３８２号公報
【特許文献２】実開昭５６−５００１６号公報
【発明の開示】
【発明が解決しようとする課題】
【０００６】
電極１１０は、経路幅の狭幅領域を必要最小限に留め広幅領域を長くとることができるので、長い領域で電極経路に流れる電流を分散させることは可能である。しかしながら、接続端Ｔ２に近接した領域で経路幅が広くなるので、接続端Ｔ２の回路基板上での半田接合位置によっては、拡幅された接続部１２０により基板表面が覆われてしまい、または／および他の実装部品の実装位置に近接することが考えられる。
【０００７】
接続部１２０の下部については、部品実装が不可能になり回路基板への高密度実装への制約になってしまうおそれがある。また、電極１１０の実装順序を他部品より後にすれば、接続部１２０の下部への部品実装も可能ではある。しかしながら、組立工程への制限となってしまうおそれがある。更に、他の実装部品の実装位置に近接してしまうと、部品実装の際、実装機（マウンター）のヘッドやアームが電極１１０に干渉してしまうおそれがあり、電極１１０の実装後に部品実装を行なうことが困難になる。また組立工程の制限になってしまうおそれもある。回路基板への部品実装に支障をきたすおそれがあり問題である。
【０００８】
また、電流Ｉは導体内を最短の経路を通って流れるため、階段状に拡幅され経路幅が不連続に変化する領域では、部分的に電流集中Ｘが生じてしまうおそれがある。電極１１０についての様子を図５に示す。接続端Ｔ２から外方端Ｔ１に向かって電流Ｉが流れる場合を示す。広幅領域から狭幅領域に向かう角部１３０（内角が９０度の角部）は、外方端Ｔ１に向かう電流経路を考える場合、迂回路となってしまうので有効な電流経路は形成されず電流密度は粗となる。逆に、狭幅領域から広幅領域に向かう角部１４０（内角が２７０度の角部）には、拡幅された電流経路に向かう電流Ｉが集中する。したがって、接続端Ｔ２から外方端Ｔ１に向かう電流Ｉは、角部１４０の近傍で局所的な電流集中Ｘが発生するおそれがある。局所的に発熱してしまうおそれがあり問題である。また、外方端Ｔ１と接続部１２０との接続部分にも角部１５０が存在する。角部１５０の近傍にも局所的な電流集中が発生するおそれがある。
【０００９】
電極２１０では、外方端Ｔ１と接続端Ｔ２を接続する接続部２２０において経路幅が狭幅である。したがって、接続部２２０が部品実装上の制約になることはなく、局所的な電流集中も発生しないものではある。しかしながら、電極２１０では、経路幅が狭幅である領域が長く、大電流を流す際、接続部２２０上の電流密度を十分に低減することができないおそれがある。接続部２２０の全域が発熱してしまうおそれがあり問題である。また、電極２１０においても、接続部２２０と外方端Ｔ１との接続部分には角部１５０が存在する。電極１１０の角部１５０と同様に局所的な電流集中が発生するおそれがあり問題である。
【００１０】
また、広幅の外方端Ｔ１に対して、外方端Ｔ１から接続端Ｔ２に至る接続部２２０は経路幅が狭幅に形成される。加えて、外方端Ｔ１は外部接続するためのボルト固定孔Ｈ１を備える。これにより、外方端Ｔ１は広大なサイズで形成されることが考えられる。電極２１０の重心は外方端Ｔ１側に存在することが考えられる。リフロー工程等により電極２１０を回路基板に半田接合する際、外方端Ｔ１側に存在する電極２１０の重心に抗して、接続端Ｔ２を回路基板に充分に接触させておくことが困難な場合もある。十分な半田接合を行なうことができないおそれもあり問題である。
【００１１】
特許文献１、２によれば、導電体である電極を斜めに折り返して角部の内角を鈍角とし電流集中を抑制することは可能ではある。しかしながら、この形状は、一定幅の電極を折り返して形成されるものである。高密度実装の回路基板に半田接合するにあたり必要である狭幅の接続端Ｔ２と、充分な電流容量を確保するために必要とされる広幅の外方端Ｔ１とが連結される電極に対しては適用することはできない。
【００１２】
本発明は前記背景技術の課題に鑑みなされたものであり、場所によって経路幅の異なる電流経路を有する場合にも、充分な電流容量が確保されると共に局所的な電流集中が抑制された導電体を提供することを目的とする。
【課題を解決するための手段】
【００１３】
前記目的を達成するために、請求項１に係る導電体は、端部間の電流経路が場所により異なる経路幅を有する導電体であって、電流経路のうち相異なる経路幅の電流経路間を接続する接続部においては、経路幅が連続的に遷移する領域を含むことを特徴とする。
【００１４】
請求項１の導電体では、電流経路のうち相異なる経路幅を有する電流経路を互いに接続する際、経路幅が連続的に遷移する領域を含む接続部により接続される。
【００１５】
これにより、端部間の電流経路において経路幅が異なっていても、接続部で接続することにより電流経路の経路幅が連続的に遷移する領域を備えることができる。経路幅の不連続な変化を抑制することができ、電流経路内の最短経路を通って流れる電流が電流経路内を均等に分散して流れ、局所的な電流集中を抑制することができる。
【００１６】
また、狭幅の電流経路から広幅の電流経路へと、経路幅が順次連続して遷移し、無用に狭幅な電流経路が延長されることはない。広幅の経路幅を有する電流経路を確保することができる。広幅の経路幅により電流容量が確保されることで導電体の発熱を抑制することができる。
【００１７】
また、請求項２に係る導電体は、請求項１に記載の導電体において、接続部は、経路幅が連続的に遷移する領域において、経路端辺が直線状に形成されてなることを特徴とする。
【００１８】
請求項２の導電体では、接続部は、経路幅が連続的に遷移する領域において、互いに経路幅の異なる電流経路の端部間を直線状に接続して形成される。
【００１９】
これにより、接続部において経路幅が連続的に遷移する領域では、経路幅が直線状に遷移し、導電体に流れる電流を導電体の幅全体に均等に分散して流すことができる。また、経路幅が連続的に遷移する領域の端部には角部が形成されるものの、その内角は鈍角であり、電流が十分に回り込むことができる。経路幅の遷移領域およびその端部において、電流を充分に分散して流すことができ、局所的な電流集中を抑制することができる。
【００２０】
また、請求項３に係る導電体は、請求項２に記載の導電体において、端部は互いに経路幅が異なり、接続部は、直線状の経路端辺が端部間を直結してなることを特徴とする。
【００２１】
請求項３の導電体では、接続部は、経路幅が異なる端部間を直線状に直接接続して形成される。
【００２２】
これにより、端部間が、直線状に経路幅が遷移する接続部で直結されるため、導電体に流れる電流を、端部間の接続部の全域にわたって、経路幅全体に均等に分散して流すことができる。また、端部間には、各端部と接続部との接続部分にある角部以外に角部が形成されることはなく、電流の均等な分散を妨げる角部の形成を最小限とすることができる。更に、形成される角部については、その内角が鈍角であることから、電流が十分に回り込むことができる。電流経路の全域に渡って充分均等に電流を分散させることができる。
【００２３】
また、請求項４に係る導電体は、請求項１に記載の導電体において、接続部は、経路端辺の角部が面取りされてなることを特徴とする。
【００２４】
請求項４の導電体では、経路幅の異なる電流経路間を接続する際に形成される角部が面取りされている。
【００２５】
これにより、角部において電流の流れが不均一になる領域を排除することができ、均等な電流の流れを実現することができる。
【００２６】
また、請求項５に係る導電体は、請求項１に記載の導電体において、端部の一方は回路基板に接続される接続端であり、最狭幅の経路幅を有しており、接続端から端部の他方である外方端に向かって、経路幅が拡幅されることを特徴とする。
【００２７】
請求項５の導電体では、最狭幅の経路幅を有する端部を回路基板に接続される接続端とし、外方端に向かって経路幅が拡幅されて形成されている。
【００２８】
これにより、接続端から外方端に向かって経路幅が拡幅されることに加えて、回路基板には最狭幅の接続端で接続されると共に回路基板に近接する導電体の電流経路が狭幅に形成される。このため、充分な電流容量を確保しながら、回路基板への導電体の実装面積を小さくすることができると共に接続された導電体により部品の実装が妨げられる領域を最小限に留めることができる。
【００２９】
回路基板に実装するために最狭幅で形成される接続端に対して、対極に、充分な電流容量を確保し、または／および外部接続するためのボルト開孔を備えて、広幅で形成される外方端を有する導電体において、両端部を接続する接続部における経路幅が、接続端から外方端に向かって順次拡幅される形状を有している。このため、導電体の重心を、外方端から接続端側にシフトした位置とすることができる。導電体を回路基板に接続するにあたり、自重により接続端と回路基板とを充分に接触させておくことができる。接続を確実に行なうことができる。
【発明の効果】
【００３０】
本発明によれば、電流経路が場所によって異なる経路幅を有する導電体について、経路幅の異なる電流経路間を接続するにあたり、経路幅を連続的に遷移させて接続することにより、充分な電流容量を確保しながら局所的な電流集中が抑制された導電体を提供することが可能となる。
【発明を実施するための最良の形態】
【００３１】
以下、本発明の導電体について具体化した実施形態を図１乃至図４に基づき図面を参照しつつ詳細に説明する。
【００３２】
本発明の第１実施形態の導電体としての電極１１が接続された回路基板１を図１に示す。回路基板１は、例えばアルミニウム素材などの熱伝導性に優れた金属板表面に、絶縁層および配線層を設けた基板である。回路基板１には、半田接合や圧着、ねじ止めなど、さまざまな方法により部品が接続される。近年の高密度実装技術によれば、これらの接続方法のうち半田リフロー技術により、回路部品が半田接合により表面実装されることが一般的である。コンデンサや抵抗等の受動素子やダイオードやトランジスタ等の能動素子等が、非常に小さな体格を有する表面実装部品として、回路基板１の表面に半田接合により表面実装される。電極１１も半田接合にて表面実装されるが、回路基板１が高密度実装の基板である場合、電極１１の回路基板１への接合についても高密度な実装が要求される。接続端Ｔ２の接合面積を必要最小限とする必要がある他、他の実装部品に比して大きなサイズである電極１１が実装されることで他の部品実装が妨げられないようにする必要がある。
【００３３】
また、電極１１は、回路基板１と外部との間で授受される電力用の電極である。ここにいう電力の授受とは、例えば、電源の供給のほか、モータ等の駆動装置等の電力機器に駆動電力を供給することである。例えば１００Ａ程度の大電流が流れることが考えられる。こうした大電流が流れる電極１１では、局所的な電流集中が発生しないことが必要である。電極に局所的な異常発熱が発生してしまうからである。
【００３４】
第１実施形態の電極１１は、上記の必要性に適合した特徴を備えている。図２に電極１１を拡大して示す。外部より電極１１に給電する際、ボルト等を貫装する固定孔Ｈ１を備える外方端Ｔ１と、回路基板１に半田接合される接続端Ｔ２とが、接続部１２により接続されている。
【００３５】
外方端Ｔ１は、十分な電流容量を確保するために、広幅の電流経路Ｗ１を有している。これに対して、接続端Ｔ２は、高密度実装が要求される回路基板１に半田接合されるため、必要最小限の狭幅の電流経路Ｗ２を有している。
【００３６】
接続部１２における幅方向の経路端辺のうち、第１の経路端辺は、角部１３、１４を結んで直線状に形成されている。外方端Ｔ１と角部１３との間は他方の端辺である第２の経路端辺Ｌ２と平行である。第２の経路端辺Ｌ２との間に形成される電流経路の経路幅は、電流経路Ｗ１の経路幅に維持される。また、接続端Ｔ２と角部１４との間も第２の経路端辺Ｌ２と平行である。第２の経路端辺Ｌ２との間に形成される電流経路の経路幅は、電流経路Ｗ２の経路幅に維持される。更に、第１の経路端辺のうち、角部１３と角部１４との間にある経路端辺Ｌ１１は、第２の経路端辺Ｌ２に対して所定の傾斜角度を有している。第２の経路端辺Ｌ２との間に形成される電流経路の経路幅は、電流経路Ｗ１と電流経路Ｗ２との間で連続的に遷移し、角部１４から角部１３に向かって直線的に拡幅される。経路端辺Ｌ１１を有する領域が経路幅が連続的に遷移する領域である。角部１３、１４の内角は、９０度以上の鈍角となる。
【００３７】
第２の経路端辺Ｌ２は、外方端Ｔ１および接続端Ｔ２の各端部の一端辺と同一面内に形成されている。外方端Ｔ１と接続端Ｔ２との間は、平面視で一直線に接続される。平面方向に角部を有さない。第２の経路端辺Ｌ２は、電流経路方向に略並行に形成されている。したがって、第２の経路端辺Ｌ２の近傍において局所的な電流集中は発生しない。
【００３８】
また、電極１１は、立上り面Ｓ１、Ｓ２を備えている。回路基板１に接合される接続端Ｔ２の端部に立上り面Ｓ２を備えており、接続部１２は回路基板１から離間した位置に形成される。更に、接続部１２において立上り面Ｓ１を備えており、外方端Ｔ１と接続部１２のうち外方端Ｔ１に接続される部分について、回路基板１から更に離間して構成されている。
【００３９】
ここで、電極１１は導電体の一例である。外方端Ｔ１および接続端Ｔ２は電極１１における端部の位置である。
【００４０】
接続端Ｔ２から外方端Ｔ１に向かって電流Ｉが流れる場合を考える。電流Ｉは導体内を最短の経路を通って流れるという性質から、経路端辺Ｌ１１に沿って角部１４から角部１３に向かう電流経路が形成されるように、第２の経路端辺Ｌ２に対する経路端辺Ｌ１１の傾斜角度を調整することは可能である。経路端辺Ｌ１１の傾斜角度により決定される角部１４から角部１３を望む方向と、接続端Ｔ２から外方端Ｔ１を望む方向とを略同一方向とすることができるからである。接続端Ｔ２から外方端Ｔ１を望む方向が電流Ｉの略最短経路であるので、経路端辺Ｌ１１の傾斜角度を調整することにより、経路端辺Ｌ１１近傍の角部１４から角部１３に至る経路にも、接続部１２の略中央位置と同様に略均等に電流Ｉを流すことができる。接続部１２に電流Ｉが均等に流れ、局所的に電流集中することはない。局所的な発熱を抑制することができる。
【００４１】
また、外方端Ｔ１が、十分な電流容量を確保する広幅の経路幅の電流経路Ｗ１を有するのに対し、接続端Ｔ２は、高密度実装に対応して狭幅の経路幅の電流経路Ｗ２を有する。このため、電極１１を半田接合等で回路基板１に接続する際の実装面積を最小限に抑えることができ、回路基板１における高密度実装に資することができる。
【００４２】
更に、接続部１２の電流経路の経路幅は、接続端Ｔ２から外方端Ｔ１に向かって順次幅広になるところ、接続端Ｔ２に近接する領域すなわち回路基板１に近接する領域においては、狭幅である。これにより、電極１１により回路基板１の表面が隠される領域を必要最小限に抑制することができ、実装部品が実装不可能な領域を最小限にとどめることができる。また、回路基板１に近接領域では狭幅の経路幅であるので、実装工程において、電極１１が制約になることもない。例えば、実装部品のマウンターの稼動範囲に電極１１が存在する可能性は低減され、電極１１がマウンターの動作と干渉するというおそれが低減する。狭幅の接続部１２により、その他の工程における装置の稼動制約になるおそれを低減することができる。高密度実装に資するところ大である。
【００４３】
また、接続端Ｔ２から外方端Ｔ１に至る接続部１２において、経路幅は順次広幅化されるので、電極１１は電流容量を確保することができる。電極１１の全域に渡って電流による発熱を抑えることができる。また、外方端Ｔ１と接続端Ｔ２との間に電極１１の重心を置くことができる。リフロー工程等の、電極１１を回路基板１に接続する前の段階で、電極１１の自重により、接続端Ｔ２を確実に回路基板１に接触させることができ、接続不良を抑制することができる。
【００４４】
尚、立上り部Ｓ１と外方端Ｔ１および接続部１２との接続部分、立上り部Ｓ２と接続端Ｔ２および接続部１２との接続部分については、曲げ部（不図示）は略９０度を有している。しかしながら、これらの接続部分では、その前後において電流経路の経路幅は略同一である。曲げ部を挟んで電流経路内の電流密度は局在することはなく、均等な流れが維持される。このため、これらの接続部分において曲げ部の面取りをする等の施策は特に必要ではない。
【００４５】
図３は、第１実施形態の変形例の導電体としての電極１１Ａである。第１実施形態の電極１１における角部１４に代えて、角部１４Ａ、１４Ｂを備えている。電極１１の場合と同様に、角部１３と角部１４Ａとの間にある経路端辺Ｌ１１は、第２の経路端辺Ｌ２に対して所定の傾斜角度を有している。また接続端Ｔ２と角部１４Ｂとの間は、第２の経路端辺Ｌ２と平行である。変形例では、角部１４Ｂに対して角部１４Ａが、経路幅の外方に向かって備えられており、この部分で経路幅が不連続に変化する。
【００４６】
この場合、角部１４Ｂから角部１４Ａに向かう方向は、接続端Ｔ２から外方端Ｔ１に向かう電流方向に対して異なる方向である。しかしながら、角部１４Ａと角部１４Ｂとが近接している場合には、角部１４Ｂから角部１４Ａに向かっての電流の回り込みは限られた電流量であり、角部１４Ｂの近傍における電流集中は限定されたものとなる。接続端Ｔ２から外方端Ｔ１に向けて、電流を電流経路内に均等に流すことができる。
【００４７】
図４は、第２実施形態の導電体としての電極２１である。接続部１２、１２Ａに代えて、接続部２２を備え、第１実施形態の電極１１、１１Ａにおける、第２の経路端辺Ｌ２に対して所定の傾斜角度を有する経路端辺Ｌ１１に代えて、経路端辺Ｌ１２を備えている。経路端辺Ｌ１１が接続部１２にある角部１３と角部１４との間に形成されているのに代えて、経路端辺Ｌ１２は、外方端Ｔ１と接続端Ｔ２とを直結して形成されている。この場合、電極１１、１１Ａにおいて接続部１２に備えられている立上り面Ｓ１に代えて、外方端Ｔ１と接続部２２とを接続して立上り面Ｓ１２が備えられている。接続部２２の全域が経路幅が連続的に遷移する領域である。
【００４８】
電極２１は、電極１１、１１Ａと同様に、狭幅の接続端Ｔ２を有しており、回路基板１の実装面積を最小限とすることができる。また、接続端Ｔ２に近接する接続部２２が狭幅で形成されているので、表面実装部品の実装に支障となることはない。
【００４９】
更に、接続端Ｔ２と外方端Ｔ１との間に角部がなく、電流経路において電流Ｉを更に均等に分散させることができる。
【００５０】
ここで、電極１１Ａ，２１は導電体の一例である。
【００５１】
以上、詳細に説明したように本実施形態によれば、電流経路のうち相異なる経路幅の電流経路Ｗ１、Ｗ２を備える電極１１、１１Ａ、２１において、第２の経路端辺Ｌ２と経路端辺Ｌ１１、Ｌ１２とにより、経路幅が直線的に遷移する部分として接続部１２、１２Ａ、２２を備えている。これにより、外方端Ｔ１と接続端Ｔ２との間の電流経路において経路幅が異なっていても、接続部１２、１２Ａ、２２において電流経路の経路幅を直線的に遷移させることができる。不連続な経路幅の変化を抑制することができ、電流経路内の最短経路を通って流れる電流Ｉが電流経路内を均等に分散して流れ、局所的な電流集中を抑制することができる。
【００５２】
また、狭幅の電流経路Ｗ２から広幅の電流経路Ｗ１へと、経路幅が順次連続して遷移し、無用に狭幅な電流経路が延長されることはない。電流経路上の経路幅が最大限に確保され、電極１１、１１Ａ、２１の電流容量を確保することができる。電極１１、１１Ａ、２１の全域に渡って発熱を抑制することができる。
【００５３】
また、接続部１２、１２Ａ、２２において、経路幅が直線状に遷移するので、電極１１、１１Ａ、２１に流れる電流Ｉを電流経路の全体に均等に分散して流すことができる。
【００５４】
また、経路端辺Ｌ１１の角部１３、１４は、その内角は鈍角である。電流Ｉが十分に回り込んで局所的な電流集中を抑制することができる。また、角部１４Ａと角部１４Ｂとの接続部分では、経路幅が不連続に変化するものの、角部１４Ａと角部１４Ｂとが近接しており、電極１１Ａにおける電流経路に対して限定された距離であれば、角部１４Ａに向かう電流の回り込みは限定されたものであり、局所的な電流集中は無視できる。
【００５５】
また、電極２１では、接続部２２が外方端Ｔ１と接続端Ｔ２とを直結して経路幅が直線状に遷移するので、電流経路に流れる電流Ｉを、外方端Ｔ１と接続端Ｔ２との間の接続部２２の経路幅全域に渡って均等に分散して流すことができる。また、接続部２２には角部が形成されることはなく、電流の均等な分散が妨げられることもない。
【００５６】
また、接続端Ｔ２から外方端Ｔ１に向かって経路幅が拡幅されることに加えて、回路基板１には最狭幅の接続端Ｔ２で接続される。加えて、回路基板１に近接する接続部１２、１２Ａ、２２は電流経路が狭幅に形成される。このため、充分な電流容量を確保しながら、回路基板１への電極１１、１１Ａ、２１の実装面積を小さくすることができると共に、電極１１、１１Ａ、２１の近傍の部品実装が妨げられることもない。
【００５７】
また、回路基板１に実装される最狭幅の接続端Ｔ２に対して、対極に、充分な電流容量を確保し、または／および外部接続するためのボルトの開孔Ｈ１を備えて、広幅で形成される外方端Ｔ１を有し、接続部１２、１２Ａ、２２の経路幅が、接続端Ｔ２から外方端Ｔ１に向かって順次拡幅される形状を有している。このため、電極１１、１１Ａ、２１の重心を、外方端Ｔ１から接続端Ｔ２側にシフトした位置とすることができる。電極１１、１１Ａ、２１を回路基板１に接続するにあたり、電極１１、１１Ａ、２１を、自重により接続端Ｔ２と回路基板１とを充分に接触させておくことができる。接続を確実に行なうことができる。
【００５８】
尚、本発明は前記実施形態に限定されるものではなく、本発明の趣旨を逸脱しない範囲内で種々の改良、変形が可能であることは言うまでもない。例えば、本実施形態においては、接続部１２、１２Ａ、２２において、経路幅の連続的な遷移が、第２の経路端辺Ｌ２と経路端辺Ｌ１１、Ｌ１２とにより、直線的な遷移として実現される場合を説明した。しかしながら、本発明はこれに限定されるものではない。経路幅を遷移させる経路端辺Ｌ１１、Ｌ１２に代えて、曲線状に角部間あるいは端部間が結ばれた経路端辺とすることもできる。また、階段状に順次経路幅を広げることも考えられる。電流が電流経路の経路幅に広がり実質的に均等に分散する形状であれば良い。
また、経路幅の連続的な遷移は、接続部１２、１２Ａ、２２として例示した電極１１、１１Ａ、２１の平面部分に限定されるものではない。平面部分に代えて、または平面部分に加えて、立上り面Ｓ１、Ｓ２、Ｓ１２に構成することもできる。
【図面の簡単な説明】
【００５９】
【図１】第１実施形態の電極が接続された回路基板を示す図である。
【図２】第１実施形態の電極を示す図である。
【図３】第１実施形態の変形例の電極を示す図である。
【図４】第２実施形態の電極を示す図である。
【図５】背景技術の電極を示す図である。
【図６】背景技術の他の電極を示す図である。
【符号の説明】
【００６０】
１      回路基板
１１、１１Ａ、２１      電極
１２、１２Ａ、２２      接続部
１３、１４、１４Ａ、１４Ｂ      角部
Ｈ１      固定孔
Ｌ１１、Ｌ１２      経路幅が連続的に遷移する領域を構成する経路端辺
Ｌ２      第２の経路端辺
Ｓ１、Ｓ１２、Ｓ２      立上り面
Ｔ１      外方端
Ｔ２      接続端
Ｗ１、Ｗ２      電流経路
Ｉ      電流
【図１】
2007227472.tif 000003
【図２】
2007227472.tif 000004
【図３】
2007227472.tif 000005
【図４】
2007227472.tif 000006
【図５】
2007227472.tif 000007
【図６】
2007227472.tif 000008